(57)【特許請求の範囲】
【請求項１】
建物開口部に設けられる枠体内に倒れ障子を室外側に向かって傾倒自在に納めてなる倒し窓において、
前記枠体を構成する上枠は内部に前記倒れ障子の開放装置と復帰装置とを納めると共に、室内側面を着脱自在な上枠正面カバーで構成し、
前記上枠内には前記開放装置の操作に用いる開放用ワイヤと前記復帰装置の操作に用いる復帰用ワイヤのガイド部を有したガイドブロックを設け、該ガイドブロックは前記上枠正面カバーを固定する固定部を有し、前記上枠正面カバーは前記開放装置及び復帰装置からガイドブロックに至るまでの領域の室内側を覆うことを特徴とする倒し窓。
【請求項２】
前記枠体を横方向に連設し、各枠体にそれぞれ前記倒れ障子を室外側に向かって傾倒自在に納め、前記枠体を構成する上枠にはそれぞれ前記倒れ障子の開放装置と復帰装置を納め、前記ガイドブロックのガイド部は前記枠体の連設部分において他の枠体の開放装置に用いる開放用ワイヤ及び復帰装置に用いる復帰用ワイヤを挿通させる連窓用ガイド部を有してなることを特徴とする請求項１記載の倒し窓。
【請求項３】
前記倒れ障子にはその開放初動時に前記枠体を押圧する押出装置が設けられ、前記押出装置は前記復帰用ワイヤの固定部を有してなることを特徴とする請求項１または２記載の倒し窓。
【発明の詳細な説明】
【技術分野】
【０００１】
本発明は、枠体内に倒れ障子を室外側に向かって傾倒自在に納めた倒し窓に関し、特に倒れ障子の最大開度を所定角度に規制することのできる倒し窓に関する。
【背景技術】
【０００２】
従来から、建物開口部に設けられる枠体内に、倒れ障子を室外側に向かって傾倒自在に納めた倒し窓が知られている。倒し窓は、部屋の高所等に設けられ、採光及び換気を行うために設置される。
【０００３】
倒し窓において倒れ障子は、開放装置によって室外側に向かって傾倒を開始し、傾倒を開始するとあとは自重で最大開度に達するまで傾倒する。また、開いた状態の倒れ障子は、復帰装置により元の位置に戻って閉じた状態となることができる。これら開放装置や復帰装置は、ワイヤによって操作されるものである。また、開放装置及び復帰装置は上枠の中空内部に納められる構成となっている。このような倒し窓としては、例えば特許文献１に挙げるようなものがある。
【特許文献１】実開昭４８−１０６６４６号公報
【発明の開示】
【発明が解決しようとする課題】
【０００４】
しかし、従来の倒し窓においては、開放装置や復帰装置が上枠内部に納められるため、ワイヤの取付け及び調整等を室内側から行うことが困難であり、作業性が悪いという問題点を有していた。
【０００５】
本発明は、上記課題を解決すべくなされたものであり、開放装置や復帰装置に用いるワイヤの取付け及び調整が容易な倒し窓を提供することを目的とする。
【課題を解決するための手段】
【０００６】
上記課題を解決するため、本発明に係る倒し窓は、建物開口部に設けられる枠体内に倒れ障子を室外側に向かって傾倒自在に納めてなる倒し窓において、
前記枠体を構成する上枠は内部に前記倒れ障子の開放装置と復帰装置とを納めると共に、室内側面を着脱自在な上枠正面カバーで構成し、
前記上枠内には前記開放装置の操作に用いる開放用ワイヤと前記復帰装置の操作に用いる復帰用ワイヤのガイド部を有したガイドブロックを設け、該ガイドブロックは前記上枠正面カバーを固定する固定部を有し、前記上枠正面カバーは前記開放装置及び復帰装置からガイドブロックに至るまでの領域の室内側を覆うことを特徴として構成されている。
【０００８】
さらに、本発明に係る倒し窓は、前記枠体を横方向に連設し、各枠体にそれぞれ前記倒れ障子を室外側に向かって傾倒自在に納め、前記枠体を構成する上枠にはそれぞれ前記倒れ障子の開放装置と復帰装置を納め、前記ガイドブロックのガイド部は前記枠体の連設部分において他の枠体の開放装置に用いる開放用ワイヤ及び復帰装置に用いる復帰用ワイヤを挿通させる連窓用ガイド部を有してなることを特徴として構成されている。
【０００９】
さらにまた、本発明に係る倒し窓は、前記倒れ障子にはその開放初動時に前記枠体を押圧する押出装置が設けられ、前記押出装置は前記復帰用ワイヤの固定部を有してなることを特徴として構成されている。
【発明の効果】
【００１０】
本発明に係る倒し窓によれば、枠体を構成する上枠は内部に倒れ障子の開放装置と復帰装置とを納めると共に、室内側面を着脱自在な上枠正面カバーで構成することにより、上枠正面カバーを取り外すことにより、開放装置及び復帰装置を室内側に露出させることができ、開放用ワイヤ及び復帰用ワイヤの取付け、調整を室内側から容易に行うことができる。
【００１１】
また、本発明に係る倒し窓によれば、上枠内には開放装置の操作に用いる開放用ワイヤと復帰装置の操作に用いる復帰用ワイヤのガイド部を有したガイドブロックを設け、ガイドブロックは上枠正面カバーを固定する固定部を有してなることにより、上枠正面カバーによって開放装置及び復帰装置からガイドブロックに至るまでの領域の室内側を覆って、取り外せばその領域を露出させることができるので、開放用ワイヤ及び復帰用ワイヤをより容易に取付、調整することができる。
【００１２】
さらに、本発明に係る倒し窓によれば、枠体を横方向に連設し、各枠体にそれぞれ倒れ障子を室外側に向かって傾倒自在に納め、枠体を構成する上枠にはそれぞれ倒れ障子の開放装置と復帰装置を納め、ガイドブロックのガイド部は枠体の連設部分において他の枠体の開放装置に用いる開放用ワイヤ及び復帰装置に用いる復帰用ワイヤを挿通させる連窓用ガイド部を有してなることにより、横方向に倒し窓を連設する場合において、開放用ワイヤ及び復帰用ワイヤを片側に寄せることができて、開放及び復帰操作を容易にすることができる。
【００１３】
さらにまた、本発明に係る倒し窓によれば、倒れ障子にはその開放初動時に枠体を押圧する押出装置が設けられ、押出装置は復帰用ワイヤの固定部を有してなることにより、部品を小型化し、コストダウンを図ることができる。
【発明を実施するための最良の形態】
【００１４】
本発明の実施形態について図面に沿って詳細に説明する。図１には本実施形態における倒し窓の縦断面図を、図２には倒し窓の横断面図を、それぞれ示している。これら各図に示すように、本実施形態における倒し窓は、建物開口部に設けられる枠体１内に倒れ障子２を室外側に向かって傾倒自在となるように納めてなるものである。また、枠体１内には、倒れ障子２の室内側に網戸７１が設けられる。
【００１５】
枠体１は、上枠１０と下枠２０及び左右の縦枠３０、３０を方形状に枠組みしてなるものである。枠体１を構成するこれら枠材は、それぞれ室外側を金属材で、室内側を樹脂材で構成されている。上枠１０は、室外側の金属上枠１１と室内側の樹脂上枠１２、及び上枠１０の室内側面を構成する上枠正面カバー１５から構成されている。ここで、上枠正面カバー１５は樹脂材によって形成されている。また、下枠２０は、室外側の金属下枠２１と室内側の樹脂下枠２２から構成されている。さらに、縦枠３０は、室外側の金属縦枠３１と室内側の樹脂縦枠３２から構成されている。
【００１６】
樹脂上枠１２の室内側端部には、室内側に向かって延出する室内側片１３が形成されている。また、樹脂下枠２２の室内側端部にも、室内側に向かって延出する室内側片２３が形成され、樹脂縦枠３２の室内側端部にも、同様に室内側に向かって延出する室内側片３３が形成される。すなわち、枠体１の四周に渡って室内側端部に室内側片が形成されており、これらは倒し窓の室内側に配設される額縁材（図示しない）に当接し、ネジ止め固定される。
【００１７】
金属上枠１１の外周面中間部には、外方に向かって突出するフィン部１４が形成されている。また、金属下枠２１の外周面中間部にも、外方に向かって突出するフィン部２４が形成され、金属縦枠３１の室内側端部にも、同様に外方に向かって突出するフィン部３４が形成されている。これらフィン部は建物躯体の室外面に当接し、ネジ止め固定されることによって、枠体１を建物躯体に対して固定することができる。
【００１８】
上枠１０は内部に大きな空間を有するような中空状に形成されて、収容部１６を形成している。収容部１６には、開放用ワイヤ７５の操作に伴って倒れ障子２を室外側に向かって傾倒させる開放装置５と、復帰用ワイヤ７６の操作に伴って開いた状態の倒れ障子２を元の位置に復帰させる復帰装置６とが納められている。
【００１９】
収容部１６を構成する室外面と上面は、金属上枠１１によって構成されている。金属上枠１１の室内側端部には、係合部１７が形成されており、この係合部１７に樹脂上枠１２が係合する。さらに樹脂上枠１２の下部には係合部１８が形成されており、この係合部１８に上枠正面カバー１５が係合し固定される。この上枠正面カバー１５によって収容部１６の室内面及び下面が構成される。
【００２０】
倒れ障子２は、上框４０と下框５０及び左右の縦框６０、６０を方形状に框組みしてなる框体３内に、ガラス板からなるパネル体４を納めてなるものである。框体３を構成する各框材は、それぞれ室外側を金属材で、室内側を樹脂材で構成されている。上框４０は、室外側の金属上框４１と室内側の樹脂上框４２から構成されている。また、下框５０は、室外側の金属下框５１と室内側の樹脂下框５２から構成されている。さらに、縦框６０は、室外側の金属縦框６１と室内側の樹脂縦框６２から構成されている。
【００２１】
パネル体４は、グレチャン７０を介して框体３に室内外面を挟持されている。パネル体４の室外面は、框体３を構成する金属材により、パネル体４の室内面は、框体３を構成する樹脂材により、それぞれ押圧され挟持される。
【００２２】
次に、上枠１０内に納められる開放装置５及び復帰装置６について説明する。図３には、開放装置５が納められた位置における上枠１０付近の縦断面拡大図を示している。この図に示すように、開放装置５の下面からは係合爪部８０が突出している。係合爪部８０は、開放用ワイヤ７５が引かれることによって開放装置５内に納まる構成とされている。
【００２３】
一方、倒れ障子２の上框４０には、上端部に係合用金具８５が取付けられている。係合用金具８５は、倒れ障子２が閉じた状態で開放装置５の係合爪部８０が係合する係合孔８５ａを有している。係合爪部８０は、室内側面が垂直に形成されているので、これが係合孔８５ａの後端面に当接し、倒れ障子２が室外側に傾倒しないように支持している。
【００２４】
開放用ワイヤ７５の操作によって係合爪部８０が開放装置５内に納まると、係合爪部８０と係合孔８５ａとの係合状態は解除され、倒れ障子２は室外側に傾倒できる状態となる。倒れ障子２が開いて開放用ワイヤ７５の操作を停止すると、係合爪部８０は再び開放装置５の下面から突出する。上框４０に取付けられる係合用金具８５は、室内側端部が下方に向かって折り曲げられ円弧状とされた屈曲部８５ｂを有しており、係合爪部８０は室外面を円弧状に形成されている。このため、倒れ障子２を閉じる際には、係合用金具８５の屈曲部８５ｂが係合爪部８０の円弧状の室外面に当接し、これを開放装置５内に押し上げながら元の位置に復帰し、復帰すると係合爪部８０は係合孔８５ａに対して係合するように下降する。すなわち、倒れ障子２を閉じる際には、開放用ワイヤ７５の操作を行うことなく開放装置５と倒れ障子２との係合を元の状態に復帰させることができる。
【００２５】
図４には、復帰装置６が納められた位置における上枠１０付近の縦断面拡大図を示している。この図に示すように復帰装置６は、復帰用ワイヤ７６の向きを変える変向滑車８１により構成されている。また、倒れ障子２の上框４０には、押出装置８６が設けられており、変向滑車８１に巻回された復帰用ワイヤ７６の端部は、押出装置８６の室内端部に固定される。
【００２６】
倒れ障子２の上框４０に設けられる押出装置８６は、上框４０に対する固定部となる基部８６ａに、バネ８６ｃを介してアーム部８６ｂを室内側に向かって回動自在に保持したものである。バネ８６ｃは、アーム部８６ｂを室内側に向かって付勢しており、開放装置５において係合爪部８０の係合状態が解除されると、アーム部８６ｂが室内側に向かって回動し、上枠１０に設けられる受部品８２を押圧する。これによって、倒れ障子２の開放時における初動動作を行うようにしている。
【００２７】
図５には、開放装置５及び復帰装置６と倒れ障子２との位置関係を表した図を示している。この図においては、倒れ障子２が室外側への傾倒を開始した状態を示している。この図に示すように、開放装置５は枠体１内の略中央位置に配置され、さらにそれと重なるように受部品８２も配置される。開放用ワイヤ７５は、枠体１の角部から引き回されて開放装置５の室内端部に固定される。
【００２８】
押出装置８６のアーム部８６ｂは、前述のように倒れ障子２の傾倒初動時においてバネ８６ｃの付勢力により室内側に向かって回動し、受部品８２を押圧することで倒れ障子２を室外側に傾倒させる。また、押出装置８６の室内面には、復帰用ワイヤ７６を固定するワイヤ固定部８６ｄが形成されている。このように、押出装置８６に復帰用ワイヤ７６を固定するワイヤ固定部８６ｄを設けたことにより、部品数を少なくでき、また部品が占めるスペースも小さくすることができる。
【００２９】
復帰装置６は、倒れ障子２に設けられる押出装置８６と対向する位置に配置され、枠体１の角部から引き回された復帰用ワイヤ７６を巻回する。復帰装置６に巻回された復帰用ワイヤ７６は、前述のように室外側に延びて、倒れ障子２の押出装置８６に形成されたワイヤ固定部８６ｄに固定される。
【００３０】
開放用ワイヤ７５と復帰用ワイヤ７６は、枠体１の上端角部に設けられるガイドブロック７を挿通させて、その向きを変えるようにしている。図６には、枠体１の角部付近の分解斜視図を示している。この図に示すように、ガイドブロック７は、上枠１０と縦枠３０が連結される角部に固定されており、開放用ワイヤ７５や復帰用ワイヤ７６を挿通させるためのガイド部９０が形成されている。ガイド部９０は、側面と下面にそれぞれ開口部９０ａを有しており、これらの間を開放用ワイヤ７５や復帰用ワイヤ７６が挿通される。
【００３１】
図７にはガイドブロック７の断面図を示している。この図に示すように、ガイド部９０には複数の貫通孔９１が形成されている。また、ガイド部９０の上部に形成される貫通孔９１は、直線状に形成されて直線ガイド部９２を構成し、ガイド部９０の下部に形成される貫通孔９１は、内部が円弧状に屈曲して形成されて屈曲ガイド部９３を構成している。
【００３２】
ガイドブロック７の直線ガイド部９２は、後述するように枠体１を横方向に連設した際に用いられるものである。また、ガイドブロック７の屈曲ガイド部９３は、上枠１０の中央方向から延びる開放用ワイヤ７５及び復帰用ワイヤ７６を、下方に向かうようにそれらをガイドする。
【００３３】
また、ガイドブロック７の下面には、上枠正面カバー１５を固定するための固定部９４がネジ孔として形成されている。図６に示すように、上枠正面カバー１５は、端部近傍の下面にネジ孔１５ａを有しており、これを介してガイドブロック７の固定部９４に対してネジ止め固定されることによって、上枠正面カバー１５が上枠１０に取付固定される。
【００３４】
図８には上枠正面カバー１５を取付けた枠体１の角部付近の斜視図を示している。この図に示すように、ガイドブロック７の固定部９４に対してネジ止め固定された上枠正面カバー１５は、端面がガイドブロック７の側面に当接する。この場合において、開放用ワイヤ７５や復帰用ワイヤ７６が挿通されるガイド部９０のうち下面に形成される開口部９０ａは、そのまま露出した状態となるようにされている。
【００３５】
このように、上枠正面カバー１５は枠体１に対して室内側から着脱自在とされている。そして、上枠正面カバー１５を取り外すと、上枠１０の中空内部が室内側に露出した状態となるために、上枠１０の収容部１６に納められる開放装置５や復帰装置６について、開放用ワイヤ７５や復帰用ワイヤ７６の取付け及び調整を容易に行うことができる。
【００３６】
次に、枠体１を横方向に連設した場合について説明する。枠体１は横方向に連設することができるように構成されている。横方向に連設された枠体１には、それぞれ倒れ障子２を室外側に向かって傾倒自在となるように納める。また、各枠体１にはそれぞれ上枠１０内に開放装置５と復帰装置６を納める。
【００３７】
図９には、枠体１を横方向に連設した場合の開放用ワイヤ７５及び復帰用ワイヤ７６とガイドブロック７の関係を表した正面図を示している。この図では、枠体１について縦枠３０の内周面３０ａのみを点線で示している。この図に示すように、ガイドブロック７は縦枠３０の内周面３０ａに接するように各枠体１の両端部にそれぞれ設けられる。
【００３８】
開放装置５及び復帰装置６は、前述のように上枠１０内の中間位置に納められている。開放装置５と復帰装置６からは、それぞれ開放用ワイヤ７５と復帰用ワイヤ７６がガイドブロック７に向かって延びており、ガイドブロック７はガイド部９０においてこれらのワイヤを挿通させる。
【００３９】
ガイドブロック７には、ガイド部９０として直線状の直線ガイド部９２と、中間部で９０°屈曲した屈曲ガイド部９３とが形成されている。図中右側の枠体１に設けられた開放装置５からの開放用ワイヤ７５と、図中右側の枠体１に設けられた復帰装置６からの復帰用ワイヤ７６は、図中右側の枠体１の左端部に取付けられたガイドブロック７及び図中左側の枠体１の右端部に取付けられたガイドブロック７の各直線ガイド部９２に挿通され、いずれも図中左側の枠体１内に導かれる。
【００４０】
図中右側の枠体１からガイドブロック７を介して図中左側の枠体１に導かれた開放用ワイヤ７５は、図中左側の枠体１に設けられた開放装置５に固定され、さらに図中左側の枠体１の左端部に取付けられたガイドブロック７の屈曲ガイド部９３に挿通され、この位置から下方に向かって延びるように配置される。この開放用ワイヤ７５を引くことで、両方の倒し窓について倒れ障子２を開放することができる。
【００４１】
図中右側の枠体１からガイドブロック７を介して図中左側の枠体１に導かれた復帰用ワイヤ７６は、図中左側の枠体１の左端部に取付けられたガイドブロック７の屈曲ガイド部９３に挿通され、この位置から下方に向かって延びるように配置される。また、図中左側の枠体１に設けられた復帰装置６からの復帰用ワイヤ７６も、図中左側の枠体１の左端部に取付けられたガイドブロック７の屈曲ガイド部９３に挿通され、この位置から下方に向かって延びるように配置される。したがって、倒れ障子２の復帰は、倒れ窓２毎に操作を行うことができる。
【００４２】
このように、ガイドブロック７に直線ガイド部９２と屈曲ガイド部９３を設け、連設した一方の枠体１から延びる開放用ワイヤ７５と復帰用ワイヤ７６を直線ガイド部９２を介して他方の枠体１に導き、他方の枠体１内の開放用ワイヤ７５と復帰用ワイヤ７６を一端部に取付けられたガイドブロック７の屈曲ガイド部９３を介して下方に向かうよう導くことで、２つの倒し窓の操作に必要なワイヤを全て一端部に集めることができるので、倒し窓の開閉操作を１箇所で容易に行うことができる。
【００４３】
以上、本発明の実施形態について説明したが、本発明の適用は本実施形態には限られず、その技術的思想の範囲内において様々に適用されうるものである。例えば、本実施形態では枠体１と框体３が室外側が金属材で室内側が樹脂材の複合材を用いたものについて示したが、全て金属材からなる金属サッシであっても本発明を適用することができる。
【図面の簡単な説明】
【００４４】
【図１】本実施形態における倒し窓の縦断面図である。
【図２】本実施形態における倒し窓の横断面図である。
【図３】開放装置が納められた位置における上枠付近の縦断面拡大図である。
【図４】復帰装置が納められた位置における上枠付近の縦断面拡大図である。
【図５】開放装置及び復帰装置と倒れ障子との位置関係を表した平面図である。
【図６】枠体の角部付近の分解斜視図である。
【図７】ガイドブロックの断面図である。
【図８】上枠正面カバーを取付けた枠体の角部付近の分解斜視図である。
【図９】枠体を横方向に連設した場合のワイヤとガイドブロックの関係を示した正面図である。
【符号の説明】
【００４５】
１    枠体
２    倒れ障子
３    框体
４    パネル体
５    開放装置
６    復帰装置
７    ガイドブロック
１０    上枠
１５    上枠正面カバー
１６    収容部
２０    下枠
３０    縦枠
４０    上框
５０    下框
６０    縦框
７５    開放用ワイヤ
７６    復帰用ワイヤ
８６    押出装置
９０    ガイド部
９２    直線ガイド部
９３    屈曲ガイド部
９４    固定部
【図１】
0004738254.tif 000002
【図２】
0004738254.tif 000003
【図３】
0004738254.tif 000004
【図４】
0004738254.tif 000005
【図５】
0004738254.tif 000006
【図６】
0004738254.tif 000007
【図７】
0004738254.tif 000008
【図８】
0004738254.tif 000009
【図９】
0004738254.tif 000010